(57)【要約】  【課題】  放送電波の受信周波数と干渉しない発振周波数でＤＣ−ＤＣコンバータ電源ユニットを駆動し、発振周波数の基本波成分または高調波成分が受信周波数のノイズとならない放送受信装置を提供する。  【解決手段】  受信した電波の受信周波数ｆRに対応した発振周波数ｆOSを選択し、選択した発振周波数ｆOSでスイッチング電源を発生させ、発振周波数ｆOSの高調波成分が受信した電波の受信周波数ｆRに干渉して発生するノイズを抑制する発振周波数選択手段６を備える。【選択図】  図１
2005130171.tif 000002
【特許請求の範囲】
【請求項１】
複数の発振周波数が切替え可能なスイッチング電源を発生するＤＣ−ＤＣコンバータ電源ユニットを備えた放送受信装置において、
受信した電波の受信周波数に対応した発振周波数を選択し、選択した発振周波数でスイッチング電源を発生させ、発振周波数の高調波成分が受信した電波の受信周波数に干渉して発生するノイズを抑制する発振周波数選択手段を備えたことを特徴とする放送受信装置。
【請求項２】
前記発振周波数選択手段は、受信周波数と対応付けた発振周波数情報のデータテーブルを格納する記憶手段と、提供される受信周波数に基づいて前記記憶手段のデータテーブルから対応する発振周波数情報を選択し、選択した発振周波数情報を発振手段に供給して発振周波数の切替えを制御する制御手段と、前記制御手段から供給される発振周波数情報に基づいて所定の発振周波数で発振する発振周波数の切替え可能な前記発振手段と、を備えたことを特徴とする請求項１記載の放送受信装置。
【請求項３】
前記記憶手段は、複数の受信電波の受信周波数に対応してそれぞれ複数の発振周波数情報のデータテーブルを格納することを特徴とする請求項２記載の放送受信装置。
【請求項４】
前記発振手段は、複数の発振周波数を切替え可能な周波数切替手段を備えたことを特徴とする請求項２記載の放送受信装置。
【請求項５】
前記発振手段は、ＣＲ発振回路で構成したことを特徴とする請求項４記載の放送受信装置。
【請求項６】
前記周波数切替手段は、前記発振回路のＣ（コンデンサ）およびＲ（抵抗器）のいずれか一方または双方を切替えるスイッチ手段を備えたことを特徴とする請求項４または請求項５記載の放送受信装置。
【請求項７】
前記発振周波数選択手段は、ＡＭラジオに適用したことを特徴とする請求項１または請求項２記載の放送受信装置。
【発明の詳細な説明】
【技術分野】
【０００１】
本発明はＤＣ−ＤＣコンバータ電源ユニットを備えた放送受信装置に係り、特にＤＣ−ＤＣコンバータ電源ユニットの発振周波数および高調波が受信電波の受信周波数との干渉を回避するように、受信周波数に応じて発振周波数を切替え可能な放送受信装置に関する。
【背景技術】
【０００２】
従来のＡＭラジオなどの放送受信装置において、ＤＣ−ＤＣコンバータ電源ユニットを採用して直流電源を昇圧した直流電源に変換し、変換した直流電源でＡＭラジオなどを駆動するように構成されたものが知られている。
【０００３】
ＤＣ−ＤＣコンバータ電源ユニットには、比較的高周波の発振回路が用いられており、直流電源を高周波のパルス波形に変換するため、高周波の基本波成分および高調波成分が発生することになる。
【０００４】
また、従来の車載用の電源装置は、「特許文献１」（電源装置及び電気機器）に開示されているように、高周波のチョッパ回路を採用し、グランドラインを第１のグランラインと第２のグランドラインに分離し、をチョッパ回路から発生する高周波ノイズを第１のグランドラインに接地し、高周波ノイズが制御回路や第２のグランドラインに侵入するのを防止し、高周波ノイズの放射レベルを低下させ、ラジオなどの電気機器にノイズが入ることを防止している。
【特許文献１】特開平９−２３８４６４号公報
【発明の開示】
【発明が解決しようとする課題】
【０００５】
従来の放送受信装置は、比較的高周波の発振回路が採用されたＤＣ−ＤＣコンバータ電源ユニットを使用するため、発振回路の発振周波数の高調波成分が受信電波の受信周波数と干渉し、ノイズを発生して音質の低下を招く課題がある。
【０００６】
また、「特許文献１」に開示された従来の車載用の電源装置は、第１のグランラインと第２のグランドラインに分離し、をチョッパ回路から発生する高周波ノイズを第１のグランドラインに接地することにより、ラジオなどの電気機器にノイズが入ることを防止しているが、装置の小型化などに伴ってグランドラインのスペースに制約がある場合には、第１のグランドラインによるノイズ低減が不十分となり、チョッパ回路の発振周波数の高調波成分がラジオの受信周波数に干渉してノイズを発生する虞がある。
【０００７】
この発明はこのような課題を解決するためになされたもので、その目的は放送電波の受信周波数と干渉しない発振周波数でＤＣ−ＤＣコンバータ電源ユニットを駆動し、発振周波数の基本波成分または高調波成分が受信周波数のノイズとならない放送受信装置を提供することにある。
【課題を解決するための手段】
【０００８】
前記課題を解決するためこの発明に係る放送受信装置は、複数の発振周波数が切替え可能なスイッチング電源を発生するＤＣ−ＤＣコンバータ電源ユニットを備えた放送受信装置において、受信した電波の受信周波数に対応した発振周波数を選択し、選択した発振周波数でスイッチング電源を発生させ、発振周波数の高調波成分が受信した電波の受信周波数に干渉して発生するノイズを抑制する発振周波数選択手段を備えたことを特徴とする。
【０００９】
この発明に係る放送受信装置は、受信した電波の受信周波数に対応した発振周波数を選択し、選択した発振周波数でスイッチング電源を発生させ、発振周波数の高調波成分が受信した電波の受信周波数に干渉して発生するノイズを抑制する発振周波数選択手段を備えたので、発振周波数を適切に設定するだけで受信周波数との干渉を回避することができる。
【００１０】
また、この発明に係る発振周波数選択手段は、受信周波数と対応付けた発振周波数情報のデータテーブルを格納する記憶手段と、提供される受信周波数に基づいて記憶手段のデータテーブルから対応する発振周波数情報を選択し、選択した発振周波数情報を発振手段に供給して発振周波数の切替えを制御する制御手段と、制御手段から供給される発振周波数情報に基づいて所定の発振周波数で発振する発振周波数の切替え可能な発振手段とを備えたことを特徴とする。
【００１１】
この発明に係る発振周波数選択手段は、受信周波数と対応付けた発振周波数情報のデータテーブルを格納する記憶手段と、提供される受信周波数に基づいて記憶手段のデータテーブルから対応する発振周波数情報を選択し、選択した発振周波数情報を発振手段に供給して発振周波数の切替えを制御する制御手段と、制御手段から供給される発振周波数情報に基づいて所定の発振周波数で発振する発振周波数の切替え可能な発振手段とを備えたので、受信した受信周波数に対応した発振周波数情報を読み出して受信周波数と干渉しない発振周波数で発振することができる。
【００１２】
さらに、この発明に係る記憶手段は、複数の受信電波の受信周波数に対応してそれぞれ複数の発振周波数情報のデータテーブルを格納することを特徴とする。
【００１３】
この発明に係る記憶手段は、複数の受信電波の受信周波数に対応してそれぞれ複数の発振周波数情報のデータテーブルを格納するので、予め単純なメモリ構成で受信周波数と発振周波数を分離することができる。
【００１４】
また、この発明に係る発振手段は、複数の発振周波数を切替え可能な周波数切替手段を備えたことを特徴とする。
【００１５】
この発明に係る発振手段は、複数の発振周波数を切替え可能な周波数切替手段を備えたので、発振周波数情報に応じて受信周波数と干渉しない最適な発振周波数で発振することができる。
【００１６】
さらに、この発明に係る発振手段は、ＣＲ発振回路で構成したことを特徴とする。
【００１７】
また、この発明に係る周波数切替手段は、発振回路のＣ（コンデンサ）およびＲ（抵抗器）のいずれか一方または双方を切替えるスイッチ手段を備えたことを特徴とする。
【００１８】
この発明に係る発振手段は、ＣＲ発振回路で構成し、周波数切替手段は、発振回路のＣ（コンデンサ）およびＲ（抵抗器）のいずれか一方または双方を切替えるスイッチ手段を備えたので、Ｃ（コンデンサ）またはＲ（抵抗器）を変化させるだけで発振周波数を容易に変更することができる。
【００１９】
さらに、この発明に係る発振周波数選択手段は、ＡＭラジオに適用したことを特徴とする。
【００２０】
この発明に係る発振周波数選択手段は、ＡＭラジオに適用したので、ＤＣ−ＤＣコンバータ電源ユニットを採用しても、発振周波数に起因するノイズを単純な構成で容易に回避することができる。
【発明の効果】
【００２１】
この発明に係る放送受信装置は、受信した電波の受信周波数に対応した発振周波数を選択し、選択した発振周波数でスイッチング電源を発生させ、発振周波数の高調波成分が受信した電波の受信周波数に干渉して発生するノイズを抑制する発振周波数選択手段を備えたので、発振周波数を適切に設定するだけで受信周波数との干渉を回避することができ、ノイズの少ない高音質のラジオ放送を受信することができる。
【００２２】
また、この発明に係る発振周波数選択手段は、受信周波数と対応付けた発振周波数情報のデータテーブルを格納する記憶手段と、提供される受信周波数に基づいて記憶手段のデータテーブルから対応する発振周波数情報を選択し、選択した発振周波数情報を発振手段に供給して発振周波数の切替えを制御する制御手段と、制御手段から供給される発振周波数情報に基づいて所定の発振周波数で発振する発振周波数の切替え可能な発振手段とを備えたので、受信した受信周波数に対応した発振周波数情報を読み出して受信周波数と干渉しない発振周波数で発振することができ、ノイズの少ない良好な音質でラジオ放送を受信することができる。
【００２３】
さらに、この発明に係る記憶手段は、複数の受信電波の受信周波数に対応してそれぞれ複数の発振周波数情報のデータテーブルを格納するので、予め単純なメモリ構成で受信周波数と発振周波数を分離することができ、ノイズの少ないラジオ放送受信を実現することができる。
【００２４】
また、この発明に係る発振手段は、複数の発振周波数を切替え可能な周波数切替手段を備えたので、発振周波数情報に応じて受信周波数と干渉しない最適な発振周波数で発振することができ、発振周波数に起因するノイズを容易に回避することができる。
【００２５】
さらに、この発明に係る発振手段は、ＣＲ発振回路で構成し、周波数切替手段は、発振回路のＣ（コンデンサ）およびＲ（抵抗器）のいずれか一方または双方を切替えるスイッチ手段を備えたので、Ｃ（コンデンサ）またはＲ（抵抗器）を変化させるだけで発振周波数を容易に変更することができ、単純な構成で発振周波数を任意に設定することができる。
【００２６】
また、この発明に係る発振周波数選択手段は、ＡＭラジオに適用したので、ＤＣ−ＤＣコンバータ電源ユニットを採用しても、発振周波数に起因するノイズを単純な構成で容易に回避することができ、ＡＭラジオをコンパクトにして音質の性能アップを実現することができる。
【発明を実施するための最良の形態】
【００２７】
以下、この発明の実施の形態を添付図面に基づいて説明する。なお、本発明はＤＣ−ＤＣコンバータ電源の発振周波数を放送電波の受信周波数と分離し、発振周波数が受信周波数に干渉して発生する放送受信のノイズを回避するものである。
【００２８】
図１はこの発明に係る放送受信装置の実施の形態基本ブロック構成図である。図１において、放送受信装置１は、例えば、ＡＭラジオで構成し、ラジオ放送などの放送電波を受信するアンテナ２、アンテナ２から供給される信号から所望の受信周波数ｆRの信号を通過させるチューナ回路３、受信周波数ｆRを高精度に検出するＰＬＬ（Phased-Locked Loop）回路４、装置全体を駆動するためにコンバータ入力直流電圧ＶD1から高周波発振し、例えば昇圧または降圧したコンバータ出力直流電圧ＶD2を発生するＤＣ−ＤＣコンバータ電源ユニット５、発振周波数選択手段６を備える。なお、中間周波回路、増幅器、スピーカなどは、既存の放送受信装置と同じなので省略する。
【００２９】
発振周波数選択手段６は、受信した電波の受信周波数ｆRに対応した発振周波数ｆOSを選択し、選択した発振周波数ｆOSでスイッチング電源を発生させ、発振周波数ｆOSの高調波成分が受信した電波の受信周波数ｆRに干渉して発生するノイズを抑制する。
【００３０】
発振周波数選択手段６は、制御手段７、記憶手段８、ＤＣ−ＤＣコンバータ電源ユニット５の一部である発振手段９を備える。
【００３１】
制御手段７は、マイクロプロセッサを基本に各種処理機能を備え、ＰＬＬ回路４から供給される受信周波数ｆRを取り込み、受信周波数ｆRを記憶手段８に提供し、記憶手段８のデータテーブルに格納した受信周波数ｆRに対応した発振周波数情報ＪOSを選択して読み出し、読み出した発振周波数情報ＪOSを発振手段９に提供し、発振手段９における発振周波数ｆOSの切替えを制御する。
【００３２】
記憶手段８は、ＥＥＰＲＯＭ、ＲＡＭなどの書替え可能なメモリで構成し、記憶領域に受信周波数ｆRと対応付けた発振周波数情報ＪOSのデータテーブルを格納し、制御手段７から受信周波数ｆRが提供されると、データテーブルから受信周波数ｆRに対応した発振周波数情報ＪOSを制御手段７に提供する。
【００３３】
図２はこの発明に係る記憶手段の一実施の形態データテーブルイメージ図である。（ａ）図は受信周波数ｆR毎に対応した発振周波数情報ＪOSのデータテーブルであり、（ｂ）図は複数の受信周波数ｆRを２つの発振周波数情報ＪOSで対応したデータテーブルである。
【００３４】
（ａ）図において、データテーブルには、受信周波数ｆR1，ｆR2，ｆR3，…，ｆRk，…，ｆRnのそれぞれに対応して発振周波数情報ＪOS1，ＪOS2，ＪOS3，…，ＪOSk，…，ＪOSnを記憶する。
【００３５】
発振周波数情報ＪOS1は、後述する発振手段９が発振する発振周波数ｆOS1が、例えば受信周波数ｆR1よりも１ＣＨ分よりも低く、かつ発振周波数ｆOS1の２倍の高調波周波数２ｆOS1が次の受信周波数ｆR2よりも高く（２ｆOS1＞ｆR2）なるように設定する。
【００３６】
この設定により、発振周波数ｆOS1は、受信周波数ｆR1になんら干渉することなく、発振周波数ｆOS1に起因するノイズを受信周波数ｆR1の放送受信から回避することができる。
【００３７】
発振周波数ｆOS2〜ｆOsnについても、発振周波数ｆOS1同様に、発振周波数情報ｆOS2〜ｆOsnを設定することができる。
【００３８】
（ｂ）図において、データテーブルには、受信周波数ｆR1，ｆR2，ｆR3，…，ｆRkに対応して共通した１つの発振周波数情報ＪOSA、受信周波数ｆRL〜ｆRnに対応して共通した１つの発振周波数情報ＪOSBの２つの発振周波数情報を記憶する。
【００３９】
発振周波数情報ＪOSAは、後述する発振手段９が発振する発振周波数ｆOSAおよび高調波周波数２ｆOSA，３ｆOSA，…，ｎｆOSAが受信周波数ｆR1〜ｆRkに干渉しない周波数に発振周波数ｆOSAを設定する。
【００４０】
発振周波数情報ＪOSBも同様に、後述する発振手段９が発振する発振周波数ｆOSBおよび高調波周波数２ｆOSB，３ｆOSB，…，ｎｆOSBが受信周波数ｆRL〜ｆRnに干渉しない周波数に発振周波数ｆOSBを設定する。
【００４１】
この設定により、発振周波数ｆOSA、ｆOSBは、それぞれ受信周波数ｆR1〜ｆRk、受信周波数ｆRL〜ｆRnに干渉することなく、発振周波数ｆOSA，ｆOSBに起因するノイズを受信周波数ｆR1〜ｆRnの放送受信から回避することができる。
【００４２】
このように、この発明に係る記憶手段８は、複数の受信電波の受信周波数ｆR1〜ｆRnに対応してそれぞれ複数の発振周波数情報ＪOS1〜ＪOSnのデータテーブルを格納するので、予め単純なメモリ構成で受信周波数ｆR1〜ｆRnと発振周波数ｆOS1〜ｆOSnを分離することができ、ノイズの少ないラジオ放送受信を実現することができる。
【００４３】
図１に戻り、発振手段９は、ＤＣ−ＤＣコンバータ電源ユニット５の一部を構成し、制御手段７から供給される発振周波数情報ＪOSに基づいて発振周波数ｆOSの高周波パルスを発生する。
【００４４】
図３はこの発明に係る発振手段を含むＤＣ−ＤＣコンバータ電源ユニットの一実施の形態構成図である。図３において、ＤＣ−ＤＣコンバータ電源ユニット５は、トランスＴ、ダイオードを用いた整流器ＲＴ、平滑コンデンサＣ、ＭＯＳＦＥＴ−Ｑ、発振手段９、パルス幅制御回路１０、出力電圧検出回路１１を備える。
【００４５】
コンバータ入力直流電圧ＶD1がＭＯＳＦＥＴ−Ｑで断続された周波数（発振周波数ｆOSi：ｉ＝１〜ｎ）の高周波パルス電圧となり、トランスＴのトランス１次巻線ＬPを介してトランス２次巻線ＬSに誘起されたパルス電圧が整流器ＲＴで整流され、平滑コンデンサＣで平滑されてコンバータ出力直流電圧ＶD2にＤＣ−ＤＣ変換される。
【００４６】
発振手段９は、周波数切替手段１２、発振回路１３を備え、制御手段７から供給される発振周波数情報ＪOSに対応して発振回路の定数（例えば、ＣＲ発振回路のＣまたはＲ）を切替え、切替えた定数で発振周波数ｆOSi（ｉ＝１〜ｎ）のパルスをパルス幅制御回路１０に提供する。
【００４７】
図４はこの発明に係る発振手段の一実施の形態回路構成図である。（ａ）図に回路図を示し、（ｂ）図に発振周波数情報、選択スイッチ、選択抵抗器の関係図を示す。
【００４８】
（ａ）図において、発振手段９は、周波数切替手段１２および発振回路１３から構成する。周波数切替手段１２は、スイッチ手段を構成し、アナログスイッチなどの電子スイッチを備える。電子スイッチは、制御端子を有するスイッチｓｗ１〜ｓｗｎで構成し、制御手段７から供給される発振周波数情報ＪOSi（ｉ＝１〜ｎ）を制御端子に受けると、対応するスイッチｓｗ１〜ｓｗｎをメーク状態にする。
【００４９】
発振回路１３は、インバータゲートＩＶ−１、ＩＶ−２、コンデンサＣ１および抵抗器Ｒ１〜ＲｎのＣＲ発振回路（マルチバイブレータ）で構成し、抵抗器Ｒ１〜Ｒｎと直列にそれぞれスイッチｓｗ１〜ｓｗｎを接続する。
【００５０】
制御手段７から発振周波数情報ＪOS1が供給されると、スイッチｓｗ１がメーク状態となり抵抗器Ｒ１が選択され、コンデンサＣ１と抵抗器Ｒ１でＣＲ発振回路から発振周波数ｆOS1のパルスが出力する。
【００５１】
（ｂ）図に示すように、発振周波数情報ＪOS2〜ＪOSnに対しても、それぞれスイッチｓｗ２〜ｓｗｎがメーク状態となり、それぞれ抵抗器Ｒ１〜Ｒｎが選択されて発振周波数ｆOS2〜ｆOSnのパルスが出力する。
【００５２】
なお、本実施の形態では、コンデンサＣ１を固定にして抵抗器Ｒ１〜Ｒｎを切替える（選択する）ように構成したが、抵抗器Ｒを固定にしてコンデンサＣ１〜Ｃｎを切替える（選択する）ように構成することもできる。また、抵抗器Ｒ１〜ＲｎおよびコンデンサＣ１〜Ｃｎを切替える（選択する）ように構成してもよい。
【００５３】
なお、図４の構成は、図２の（ａ）図で説明した受信周波数ｆR1〜ｆRnに対して発振周波数情報ＪOS1〜ＪOSnが準備されているものであり、図２の（ｂ）図で説明した受信周波数ｆR1〜ｆRkに対して発振周波数情報ＪOSA、受信周波数ｆRL〜ｆRnに対して発振周波数情報ＪOSBの構成は、例えば抵抗器Ｒ１とスイッチｓｗ１および抵抗器Ｒｎとスイッチｓｗｎの２組にすれば実現できる。
【００５４】
図３に戻り、パルス幅制御回路１０は、発振手段９から提供される発振周波数ｆOSiのパルス発振出力と出力電圧検出回路１１から提供される出力検出電圧ＶDに基づいてパルス発振出力のデューティ比を決定し、発振周波数ｆOSiの駆動パルスＳDをＭＯＳＦＥＴ−Ｑのゲートに供給する。なお、パルス幅制御回路１０は、駆動パルスＳDを、出力電圧検出回路１１から提供される出力検出電圧ＶDがコンバータ出力直流電圧ＶD2に対応したより大きな場合にはデューティ比を低く設定し、コンバータ出力直流電圧ＶD2に対応したより小さな場合にはデューティ比を高く設定する。
【００５５】
出力電圧検出回路１１は、コンバータ出力直流電圧ＶD2を抵抗器Ｒａおよび抵抗器Ｒｂで分圧した電圧値でコンバータ出力直流電圧ＶD2を検出し、出力検出電圧ＶDをパルス幅制御回路１０に提供する。
【００５６】
このように、この発明に係る発振手段９は、複数の発振周波数ｆOS1〜ｆOSnを切替え可能な周波数切替手段１２を備えたので、発振周波数情報ＪOS1〜ＪOSnに応じて受信周波数ｆR1〜ｆRnと干渉しない最適な発振周波数ｆOSiで発振することができ、発振周波数に起因するノイズを容易に回避することができる。
【００５７】
また、この発明に係る発振手段９は、ＣＲ発振回路で構成し、周波数切替手段１２は、発振回路のＣ（コンデンサ）およびＲ（抵抗器）のいずれか一方または双方を切替えるスイッチ手段を備えたので、Ｃ（コンデンサ）またはＲ（抵抗器）を変化させるだけで発振周波数ｆOS1〜ｆOSnを容易に変更することができ、単純な構成で発振周波数を任意に設定することができる。
【００５８】
次に、この発明に係る発振周波数選択手段の動作について説明する。図５はこの発明に係る発振周波数選択手段の一実施の形態要部動作フロー図である。なお、動作フロー図は、図１〜図４を参照して説明する。
【００５９】
図５において、ステップＳ１では、放送電波の受信周波数ｆRiを検出する。なお、ステップＳ１の動作は、制御手段７が実行する。
【００６０】
ステップＳ２では、受信周波数ｆRiに対応した発振周波数情報ＪOSiを読み出す。なお、ステップＳ２の動作は、制御手段７および記憶手段８が実行する。
【００６１】
ステップＳ３では、発振周波数情報ＪOSiでスイッチｓｗｉをオン状態にし、抵抗器Ｒｉを接続する。なお、ステップＳ３の動作は、制御手段７、周波数切替手段１２および発振回路１３が実行する。
【００６２】
ステップＳ４で、抵抗器ＲｉとコンデンサＣ１で発振周波数ｆOSiを設定し、ステップＳ５では、受信周波数ｆRiと干渉しない発振周波数ｆOSiで発振する。なお、ステップＳ４およびステップＳ５の動作は、発振回路１３が実行する。
【００６３】
ステップＳ６では、コンバータ出力直流電圧ＶD2を出力する。なお、ステップＳ６の動作は、ＤＣ−ＤＣコンバータ電源ユニット５が実行する。
【００６４】
以上説明したように、この発明に係る放送受信装置１は、受信した電波の受信周波数ｆRに対応した発振周波数ｆOSを選択し、選択した発振周波数ｆOSでスイッチング電源ＶD2を発生させ、発振周波数ｆOSの高調波成分が受信した電波の受信周波数ｆRに干渉して発生するノイズを抑制する発振周波数選択手段６を備えたので、発振周波数ｆOSを適切に設定するだけで受信周波数ｆRとの干渉を回避することができ、ノイズの少ない高音質のラジオ放送を受信することができる。
【００６５】
また、この発明に係る発振周波数選択手段６は、受信周波数ｆRiと対応付けた発振周波数情報ＪOSiのデータテーブルを格納する記憶手段８と、提供される受信周波数ｆRiに基づいて記憶手段８のデータテーブルから対応する発振周波数情報ＪOSiを選択し、選択した発振周波数情報ＪOSiを発振手段９に供給して発振周波数ｆOSiの切替えを制御する制御手段７と、制御手段７から供給される発振周波数情報ＪOSiに基づいて所定の発振周波数ｆOSiで発振する発振周波数の切替え可能な発振手段９とを備えたので、受信した受信周波数に対応した発振周波数情報を読み出して受信周波数と干渉しない発振周波数で発振することができ、ノイズの少ない良好な音質でラジオ放送を受信することができる。
【００６６】
さらに、この発明に係る発振周波数選択手段６は、ＡＭラジオに適用したので、ＤＣ−ＤＣコンバータ電源を採用しても、発振周波数ｆOSiに起因するノイズを単純な構成で容易に回避することができ、ＡＭラジオをコンパクトにして音質の性能アップを実現することができる。
【産業上の利用可能性】
【００６７】
本発明に係る放送受信装置は、放送電波の受信周波数と干渉しない発振周波数でＤＣ−ＤＣコンバータ電源ユニットを駆動し、発振周波数の基本波成分または高調波成分が受信周波数のノイズとならないので、高音質のラジオ放送受信ができ、ＡＭラジオやＦＭラジオなどのあらゆる放送受信装置に適用することができる。
【図面の簡単な説明】
【００６８】
【図１】この発明に係る放送受信装置の実施の形態基本ブロック構成図
【図２】この発明に係る記憶手段の一実施の形態データテーブルイメージ図
【図３】この発明に係る発振手段を含むＤＣ−ＤＣコンバータ電源ユニットの一実施の形態構成図
【図４】この発明に係る発振手段の一実施の形態回路構成図
【図５】この発明に係る発振周波数選択手段の一実施の形態要部動作フロー図
【符号の説明】
【００６９】
１    放送受信装置
２    アンテナ
３    チューナ回路
４    ＰＬＬ回路
５    ＤＣ−ＤＣコンバータ電源ユニット
６    発振周波数選択手段
７    制御手段
８    記憶手段
９    発振手段
１０    パルス幅制御回路
１１    出力電圧検出回路
１２    周波数切替手段
１３    発振回路
Ｔ    トランス
ＬP    トランス１次巻線
ＬS    トランス２次巻線
Ｑ    ＭＯＳＦＥＴ
ＲＴ    整流器
Ｃ    平滑コンデンサ
Ｃ１    コンデンサ
ＶD1    コンバータ入力直流電圧
ＶD2    コンバータ出力直流電圧
ＶD    検出電圧
ＩＶ−１，ＩＶ−２    インバータゲート
Ｒ１〜Ｒｎ    抵抗器
ｓｗ１〜ｓｗｎ    スイッチ
ｆR    受信周波数
ｆOS    発振周波数
ＪOS    発振周波数情報
【図１】
2005130171.tif 000003
【図２】
2005130171.tif 000004
【図３】
2005130171.tif 000005
【図４】
2005130171.tif 000006
【図５】
2005130171.tif 000007